(57)【要約】【課題】エアゾール缶等の容器体上部外面へ、吸入筒付きキャップを嵌合させ、該キャップ押下げで容器体内薬液が吸入筒から噴出可能に設けた吸入器において、キャップ押下げを不能とする安全装置を設けた。【解決手段】上記キャップ４一部へ、揺動可能にアーム１３を付設し、かつ該アーム下端へ底板１４を付設したアダプター１１を設けて、不使用時には、アームの揺動で、上記底板１４で容器体底面を覆合するよう設けた。【選択図】    図１
2004255118.tif 000002
【特許請求の範囲】
【請求項１】
容器体の上部外面へ、吸入筒付きキャップ周壁を嵌合させ、該キャップに対する容器体押上げにより容器体内薬液が吸入筒を通って外方へ噴出可能に設けた吸入器において、
上記キャップ一部へ揺動可能にアーム１３を付設し、かつ該アーム下端に底板１４を付設したアダプター１１を設けて、該アダプターの揺動で容器体底面を底板１４で覆い、又容器体下面を露出させることが可能に形成した
ことを特徴とする吸入器。
【請求項２】
上記キャップ周壁部分外面へ第１係合手段を設け、上記アームの揺動で容器体底面を底板１４で覆合しかつ該覆合を外すとき、上記アームの一部が形成する第２係合手段が上記第１係合手段に対して着脱自在に形成した
ことを特徴とする、請求項１記載の吸入器。
【請求項３】
容器体の上部外面へ、吸入筒付きキャップ周壁を嵌合させ、該キャップに対する容器体押上げにより容器体内薬液が吸入筒を通って外方へ噴出可能に設けた吸入器において、
上記吸入筒３外面へ回動可能に嵌合させた保持筒１２からアーム１３を垂下させ、該アーム下端に底板１４を付設したアダプター１１を設けて、上記保持筒１２を中心とするアダプター回動で、容器体底面を底板１４で覆い、又容器体下面を露出させることが可能に形成した
ことを特徴とする吸入器。
【請求項４】
上記底板１４の一方側面から係合板１８を起立させ、容器体底面を底板１４が覆う状態で係合板１８が容器体胴部ないしキャップ周壁５の一方側面へ係合可能に形成した
ことを特徴とする、請求項３記載の吸入器。
【請求項５】
上記吸入筒３下方のキャップ周壁部分外面へ、係合突条１９を縦設し、保持筒１２を中心とする回動により係合板１８が容器体胴部ないしキャップ周壁５の側面へ係合するとき、アーム１３の一部が係合突条１９を強制乗越えした後、該係合突条１９側面へ係合可能に形成した
ことを特徴とする、請求項４記載の吸入器。
【発明の詳細な説明】
【０００１】
【発明の属する技術分野】
本発明は薬液等の吸入器に関する。
【０００２】
【従来の技術】図９が示すように、ステム２を上方付勢させて起立するエアゾール缶１上部へ吸入筒３付きのキャップ４を、上記ステムにはキャップ頂壁から垂下する吐出孔７付き押下げ筒８が嵌合するよう上下動自在に嵌合させ、上記キャップ４に対するエアゾール缶１の押上げでエアゾール缶内液体がステム、吐出孔を通り吸入筒から外方へ噴出するよう設けた吸入器が知られている（特許文献１）。
【０００３】
【特許文献１】
特開２００２−５２２１７２号公報
【０００４】
【発明が解決しようとする課題】
上記吸入器は、小形化することで携帯できるよう形成することが望ましいが、エアゾール缶に対してキャップを押下げ、又該キャップに対してエアゾール缶を押上げすることで薬液が噴出するため、特に携帯時にあっては安全装置を外さない限り薬液の噴出を防止できるよう設けることが望ましい。
【０００５】
本発明は安全装置を付設した吸入器に関するものである。
【０００６】
【課題を解決するための手段】
第１の手段として、容器体の上部外面へ、吸入筒付きキャップ周壁を嵌合させ、該キャップに対する容器体押上げにより容器体内薬液が吸入筒を通って外方へ噴出可能に設けた吸入器において、
上記キャップ一部へ揺動可能にアーム１３を付設し、かつ該アーム下端に底板１４を付設したアダプター１１を設けて、該アダプターの揺動で容器体底面を底板１４で覆い、又容器体下面を露出させることが可能に形成した。
【０００７】
第２の手段として、上記第１の手段を有すると共に上記キャップ周壁部分外面へ第１係合手段を設け、上記アームの揺動で容器体底面を底板１４で覆合しかつ該覆合を外すとき、上記アームの一部が形成する第２係合手段が上記第１係合手段に対して着脱自在に形成した。
【０００８】
第３の手段として、容器体の上部外面へ、吸入筒付きキャップ周壁を嵌合させ、該キャップに対する容器体押上げにより容器体内薬液が吸入筒を通って外方へ噴出可能に設けた吸入器において、
上記吸入筒３外面へ回動可能に嵌合させた保持筒１２からアーム１３を垂下させ、該アーム下端に底板１４を付設したアダプター１１を設けて、上記保持筒１２を中心とするアダプター回動で、容器体底面を底板１４で覆い、又容器体下面を露出させることが可能に形成した。
【０００９】
第４の手段として、上記第３の手段を有すると共に上記底板１４の一方側面から係合板１８を起立させ、容器体底面を底板１４が覆う状態で係合板１８が容器体胴部ないしキャップ周壁５の一方側面へ係合可能に形成した。
【００１０】
第５の手段として、上記第４の手段を有すると共に上記吸入筒３下方のキャップ周壁部分外面へ、係合突条１９を縦設し、保持筒１２を中心とする回動により係合板１８が容器体胴部ないしキャップ周壁５の側面へ係合するとき、アーム１３の一部が係合突条１９を強制乗越えした後、該係合突条１９側面へ係合可能に形成した。
【００１１】
【発明の実施の形態】
以下図１から図３が示す第１実施形態について説明する。まず従来公知の部分について簡単に説明すると、１はエアゾール缶、２はエアゾール缶内から頂壁中央部を貫通させ、かつ上方付勢されて起立するステムであり、エアゾール缶上部外面へは、吸入筒３付きのキャップ４の周壁５が上下動自在に嵌合させてある。又キャップ頂壁６からは、吐出孔７付きの押下げ筒８が垂下させてあり、該押下げ筒内へは、ステム２上部が嵌合させてあり、該キャップに対してエアゾール缶下端を押上げすることで、ステム２が付勢に抗し押上げられ、するとステム下端に設けられた吐出弁が開いてエアゾール缶内薬液がステム２を通り、かつ吐出孔７を通って吸入筒３外方へ噴霧できるよう設けてある。尚該吸入器は倒立させて使用することが多く、よって図２から図８では倒立状態で図示している。
【００１２】
本発明にあっては、上記吸入筒３外面へ回動可能に嵌合させた保持筒１２から、アーム１３を垂下し、かつ該アーム下端へ底板１４を付設したアダプター１１を設けて、保持筒１２を中心とするアダプター回動により、底板１４でエアゾール缶底面を、図３のように覆合させたり、又図２のように底面から外したりすることが自在とした。
【００１３】
保持筒１２は吸入筒３の外径とほぼ同内径としており、抜出し防止のため吸入筒外面へは突条１５を周設し、かつ保持筒内面へは上記突条を嵌合させた凹溝１６を周設している。アーム１４は、図１が示すように吸入筒下方のキャップ周壁部分外面に沿って垂下させており、アーム下部に形成した屈曲部を介して円板状の底板１４を付設している。該底板１４とエアゾール缶下面との間には小間隙を設けている。
【００１４】
アダプター１１は保持筒１２を中心とする回動によって、図３が示すようにエアゾール缶１底面を底板１４で覆合させた状態から、図２が示すように、底板１４を、エアゾール缶底面の側方へ移動させることが自在に形成する。尚図２が示すように、吸入筒３下方のキャップ周壁部分外面へは第１係合手段としての左右一対の突条１７、１７を小間隙を介して縦設し、底板１４でエアゾール缶底面を覆った図３の状態では、一方の突条１７を強制乗越えして両突条間へ第２係合手段としてのアーム１３一部が嵌合し、又該図３の状態からアーム１３ないし底板１４を側方へ押圧すると、図２のようにアーム１３が一方の突条を強制乗越えして底板１４がエアゾール缶底面の側方へ移動するよう設けている。このようにすることで、人為的に移動させない限り、エアゾール缶底面を覆合する底板１４が側方へ外れることを防止することが出来る。
【００１５】
図４と図５は、第２実施形態を示す。該実施形態は、図４が示すように底板１４の一方側面から係合板１８を起立させたもので、図５が示すように、底板１４がエアゾール缶底面を覆合した状態で、その係合板１８がエアゾール缶１の下部側面へ係合するよう設けたものである。この場合も図４、図５が示すように吸入筒３下方のキャップ周壁部分外面へ突条１９を縦設させ、アーム１３がその突条１９を強制乗越えしたとき係合板１８がエアゾール缶の側面へ接するよう設けるとよく、このようにすることで、人為的に行わない限り、エアゾール缶底面を覆合する位置から、底板１４が側方へ移動しないようにすることが出来る。尚キャップ周壁５を長くした場合は、該キャップ周壁の下部側面へ係合板１８が接することとなる。
【００１６】
その他部分は第１実施形態の場合と同じであり、説明の重複を避けるため、同一符号を付することで説明を省略する。
【００１７】
図６から図８は第３実施形態を示す。該実施形態は、図８が示すようにキャップ周壁５の外面へ嵌合させる短筒２１の前後両部からピン２２、２２を突出し、又底板１４の前後両側からアーム１３、１３を起立させ、それ等アーム上端部へ穿設したピン孔を上記ピン２２、２２外面へ揺動自在に嵌合させている。
【００１８】
上記短筒２１を図６、図７が示すようにキャップ周壁５外面上部へ固嵌合させ、該状態でアーム１３揺動により底板１４で容器体下面を覆ったり、又露出させることが可能に設ける。尚周壁５の下部外面へは突条１７、１７が付設させてあり、又アーム２４下部内面には係合突条２３が付設させてあって、底板１４で容器体下面を覆合させたとき、係合突条２３が上記突条１７の一方を強制乗越えして突条１７、１７間へ嵌合するよう設けている。その他構造は第１実施形態と同一であり、同一符号を付することで説明は省略する。
【００１９】
既述各実施形態にあっては、エアゾール缶上部へキャップ４を嵌合させたが、エアゾール缶を、ステムを起立する公知の縦形ポンプ付きの容器体に代えることもできる。
【００２０】
【発明の効果】
請求項１および請求項３記載のようにすることで、例えばハンドバッグ内へ吸入器を入れ、手探りで吸入器を探すような場合も、誤って容器体に対してキャップが押下げられ、又キャップに対して容器体が押上げられる等して不用意に吸入筒３から薬液が噴出して周辺を汚すおそれがない。又図１が示すように底板１４で容器体下面を覆合させた状態で、容器体を正立状態に起立させておくことが出来、該状態ではキャップ押下げが不能となるため、不用意な薬液の噴出を防止できる。
【００２１】
請求項２のようにすることで、アダプターの底板１４が容器体底面覆合位置から外れ難くすることが出来、請求項１の効果を更に高めることが出来る。
【００２２】
請求項４、又請求項５のようにすることでも、請求項１および請求項３のような効果を有する。
【図面の簡単な説明】
【図１】本発明吸入器を正立状態で示す縦断面図である。
【図２】図１吸入器を倒立させて行う使用状態を示すもので、容器体底面から底板を側方へ移動させた状態で示す、正面図である。
【図３】図２の状態から、容器体底面をアダプター底板で覆合させて示す斜視図である。
【図４】第２実施形態で示す、吸入器使用状態を示す斜視図である。
【図５】図４吸入器に安全装置を施した状態で示す正面図である。
【図６】第３実施形態で示す吸入器を、底板取外し状態で示す側面図である。
【図７】図６吸入器を、底板覆合状態で示す側面図である。
【図８】第３実施形態で使用するアダプターの斜視図である。
【図９】従来例吸入器の断面図である。
【符号の説明】
１…エアゾール缶                        ２…ステム
３…吸入筒                              ４…キャップ
５…周壁                                          ７…吐出孔
１１…アダプター                          １２…保持筒
１３…アーム                                    １４…底板
１８…係合板                        ２１…短筒
【図１】
2004255118.tif 000003
【図２】
2004255118.tif 000004
【図３】
2004255118.tif 000005
【図４】
2004255118.tif 000006
【図５】
2004255118.tif 000007
【図６】
2004255118.tif 000008
【図７】
2004255118.tif 000009
【図８】
2004255118.tif 000010
【図９】
2004255118.tif 000011